(57)【特許請求の範囲】
【請求項１】
インク全量に対して、アセチレンアルコール類から選ばれる少なくとも１種を０．０５〜２質量％を含有する水性インクを充填すると共に、水性インク中の塩素イオン濃度が１ｇ／Ｌ以上であり、かつ、塩基性染料で染色した樹脂粒子を含み、直径が０．４ｍｍ以下のボールを備えたことを特徴とする水性ボールペン。
【請求項２】
前記アセチレンアルコール類が下記一般式（Ｉ）〜（III）から選ばれることを特徴とする請求項１記載の水性ボールペン。
【化１】
0005812689.tif 000007
〔上記式（Ｉ）中、Ｒ１、Ｒ２、Ｒ３は、水素原子、直鎖又は分岐鎖を有する炭素数０〜１０の炭素鎖を表し、該炭素鎖には不飽和結合を含んでいてもよい。〕
【化２】
0005812689.tif 000008
〔上記式（II）中、Ｒ４は、水素原子、直鎖又は分岐鎖を有する炭素数０〜１０の炭素鎖を表し、該炭素鎖には不飽和結合を含んでいてもよく、Ｒ５は、炭素数２〜５のアルキレン基を表す。〕
【化３】
0005812689.tif 000009
〔上記式（III）中、Ｒ６、Ｒ８、Ｒ９は、水素原子、直鎖又は分岐鎖を有する炭素数０〜１０の炭素鎖を表し、該炭素鎖は不飽和結合を含んでいてもよく、Ｒ７は、炭素数１〜５のアルキレン基を表す。〕
【請求項３】
直径が０．１８〜４ｍｍのボールを備えたことを特徴とする請求項１又は２記載の水性ボールペン。
【発明の詳細な説明】
【技術分野】
【０００１】
本発明は、水性ボールペンに関し、更に詳しくは、ボール径が０．４ｍｍ以下のボールを備えた水性ボールペンにおける初期筆記感の劣化を抑制した水性ボールペンに関する。
【背景技術】
【０００２】
近年、ボール径が０．４ｍｍ以下の水性ボールペンは、幅広い消費者に支持されている。とりわけ学生は、ノートへの筆記やテスト答案の直し、教科書やプリントなど印刷されている紙面の隙間部分への書込みなど、また、ビジネスマン等では手帳への書き込みや行間など細かいスペースへの書き込みにも最適であり、さまざまな用途で利用されている。
【０００３】
このボール径が０．４ｍｍ以下の水性ボールペンは、受け座摩耗が発生しやすいなどの特有の課題を有している（例えば、本願出願人による特許文献１の背景技術等参照）。
上記課題の一つに、長期未筆記状態後の筆記感の劣化が挙げられる。具体的には、筆記を行わない状態を数ヶ月続けた後に筆記を行うと、書き出しの筆記感がガリつく状態のことを示す。
通常、ボールペンは、製造からユーザーが使用するまで数ヶ月未筆記状態となるため、筆記感の劣化を抑制することが求められてきている。
【０００４】
上記特許文献１では、少なくとも水、色剤、水溶性溶剤を含むインキ組成物に、粒子径０．１μｍ未満のアルミナ、酸化チタン、シリカ、炭化ケイ素および炭化タングステンの超微粒子の一種もしくは二種以上が配合され、その配合量がインキ組成物中に０．００２〜２重量％であることを特徴とする細字ボールペン用水性インキ組成物及び細字ボールペンが開示されている。
この細字ボールペンは、細字ボールペンの受け座摩耗を抑制し、インク流出性などに優れたものであり、長期未筆記状態後における書き出しの筆記感の更なる向上が切望されている。
【先行技術文献】
【特許文献】
【０００５】
【特許文献１】特表２００７−５１８８３８号公報（特許請求の範囲、背景技術、実施例等）
【発明の概要】
【発明が解決しようとする課題】
【０００６】
本発明は、上記従来技術の現状等に鑑み、これを解消しようとするものであり、長期未筆記状態後における書き出しの筆記感を更に向上させる水性ボールペンを提供することを目的とする。
【課題を解決するための手段】
【０００７】
本発明者は、上記従来の課題等に鑑み、鋭意研究を行った結果、直径が０．４ｍｍ以下のボールを備えたこと水性ボールペンにおいて、充填される水性インク中に特定の化合物を特定の範囲で含有することにより、上記目的の水性ボールペンが得られることを見い出し、本発明を完成するに至ったのである。
【０００８】
すなわち、本発明は、次の（１）〜（３）に存する。
（１）  インク全量に対して、アセチレンアルコール類から選ばれる少なくとも１種を０．０５〜２質量％含有する水性インクを充填し、直径が０．４ｍｍ以下のボールを備えたことを特徴とする水性ボールペン。
（２）  前記水性インク中の塩素イオン濃度が１ｇ／Ｌ以上であることを特徴とする水性ボールペン。
（３）  前記水性インク中に、塩基性染料で染色した樹脂粒子を含むことを特徴とする請求項１又は２記載の水性ボールペン。
【発明の効果】
【０００９】
本発明によれば、長期未筆記状態後における書き出しの筆記感に優れた水性ボールペンが提供される。
【発明を実施するための形態】
【００１０】
以下に、本発明の実施形態を詳しく説明する。
本発明の水性ボールペンは、インク全量に対して、アセチレンアルコール類から選ばれる少なくとも１種を０．０５〜２質量％含有する水性インクを充填し、直径が０．４ｍｍ以下のボールを備えたことを特徴とするものである。
【００１１】
本発明の水性ボールペンに用いるアセチレンアルコール類は、分子構造中にアセチレン基（−Ｃ≡Ｃ−）とヒドロキシル基（−ＯＨ）を有するものであり、本発明の効果である書き出しの筆記感がガリつく状態を抑制して初期筆記感を向上させるために含有するものであり、下記一般式（Ｉ）〜（III）で表されるものから選ばれる少なくとも１種が挙げられる。
【化１】
0005812689.tif 000002
〔上記式（Ｉ）中、Ｒ１、Ｒ２、Ｒ３は、水素原子、直鎖又は分岐鎖を有する炭素数０〜１０の炭素鎖を表し、該炭素鎖には不飽和結合を含んでもいてもよい。〕
【化２】
0005812689.tif 000003
〔上記式（II）中、Ｒ４は、水素原子、直鎖又は分岐鎖を有する炭素数０〜１０の炭素鎖を表し、該炭素鎖には不飽和結合を含んでもいてもよく、Ｒ５は、炭素数２〜５のアルキレン基を表す。〕
【化３】
0005812689.tif 000004
〔上記式（III）中、Ｒ６、Ｒ８、Ｒ９は、水素原子、直鎖又は分岐鎖を有する炭素数０〜５の炭素鎖を表し、該炭素鎖には不飽和結合を含んでもいてもよく、Ｒ７は、炭素数１〜５のアルキレン基を表す。〕
【００１２】
上記一般式（Ｉ）〜（III）中のＲ１、Ｒ２、Ｒ３、Ｒ４、Ｒ６、Ｒ８、及びＲ９としては、それぞれ、水素原子、直鎖又は分岐を有するアルキル基、アルケニル基、アリール基、アラルキル基等が挙げられる。ここで、上記アルキル基及びアルケニル基は、直鎖状、枝分かれ状、環状のいずれであってもよく、例えば、メチル基、エチル基、ｎ−プロピル基、イソプロピル基、ｎ−ブチル基、イソブチル基、ｓｅｃ−ブチル基、ｔｅｒｔ−ブチル基、ペンチル基、ヘキシル基、オクチル基、デシル基、ドデシル基、シクロペンチル基、シクロヘキシル基、ビニル基、プロぺニル基、アリル基、ヘキセニル基、オクテニル基、シクロペンテニル基、シクロヘキセニル基等が挙げられる。また、上記アリール基は、芳香環上に低級アルキル基等の置換基を有していてもよく、例えば、フェニル基、トリル基、キシリル基、ナフチル基等が挙げられる。更に、上記アラルキル基は、芳香環上に低級アルキル基等の置換基を有していてもよく、例えば、ベンジル基、フェネチル基、ナフチルメチル基等が挙げられる。
【００１３】
また、上記一般式（II）中のＲ５は、炭素数２〜５のアルキレン基を表し、該アルキレン基は、直鎖状、枝分かれ状、環状のいずれであってもよいが、特に直鎖状のものが好適である。該直鎖状アルキレン基としては、エチレン基、トリメチレン基、テトラメチレン基、ペンタメチレン基等が挙げられる。
更に、上記一般式（III）中のＲ7は、炭素数１〜５のアルキレン基を表し、該アルキレン基としては、メチレン基（炭素数１）であり、炭素数２以上では、上記一般式（II）中のＲ５と同様である。
【００１４】
上記一般式（Ｉ）のアセチレンアルコール類又はこれらの誘導体として、具体的には、２−ブチン−１−オール、３−ブチン−２−オール、２−デシン−１−オール、３，６−ジメチル−１−ヘプチン−３−オール、３，５−ジメチル−１−ヘキシン−３−オール、３，４−ジメチル−１−ペンチン−３−オール、１，１−ジフェニル−２−プロピン−１−オール、３−エチル−１−ヘプチン−３−オール、４−エチル−１−オクチン−３−オール、３−エチル−１−ペンチン−３−オール、１−エチニル−１−シクロヘキサノール、９−エチニル−９−フルオレノール、１−ヘプチン−３−オール、２−ヘプチン−１−オール、１−ヘキシン−３−オール、２−ヘキシン−１−オール、３−メチル−１−ブチン−３−オール、３−メチル−１−ペンテン−４−イン−３−オール、３−メチル−１−ペンチン−３−オール、２−メチル−４−フェニル−３−ブチン−２−オール、１−オクチン−３−オール、１−ペンチン−３−オール、２−ペンチン−１−オール、１−フェニル−２−プロピン−１−オール、３−フェニル−２−プロピン−１−オール、２−プロピン−１−オール、１，１，３−トリフェニル−２−プロピン−１−オールなどの少なくとも１種が挙げられる。
【００１５】
上記一般式（II）のアセチレンアルコール類又はこれらの誘導体として、具体的には、３−ブチン−１−オール、３−デシン−１−オール、９−デシン−１−オール、３−ヘプチン−１−オール、３−ヘキシン−１−オール、５−ヘキシン−１−オール、３−ノニン−１−オール、３−オクチン−１−オール、３−ペンチン−１−オール、４−ペンチン−１−オール、５−フェニル−４−ペンチン−１−オール、１０−ウンデシン−１−オールなどの少なくとも１種が挙げられる。
【００１６】
上記一般式（III）のアセチレンアルコール類又はこれらの誘導体として、具体的には、例えば、４−ヘプチン−２−オール、５−ヘプチン−３−オール、５−ヘキシン−３−オール、４−ペンチン−２−オールなどの少なくとも１種が挙げられる。
上記一般式（Ｉ）〜（III）で具体的に挙げた中で、使用性、コスト、安全性、本発明の効果を更に発揮せしめる点から、好ましくは、３−メチル−１−ブチン−３−オール、３−メチル−１−ペンチン−３−オール、３，５−ジメチル−１−ヘキシン−３−オールの使用が望ましい。
なお、上記一般式（Ｉ）〜（III）に挙げた各化合物の合成法は、既知であり、種々の製法により得ることができ、また、市販のものを使用してもよい。
【００１７】
これらのアセチレンアルコール類及び誘導体の含有量は、充填する水性インク全量中、０．０５〜２質量％、好ましくは、０．５〜２質量％とすることが望ましい。
この含有量が０．０５質量％未満では、十分な効果が期待できず、一方、２質量％を超えると、インクの経時安定性が損なわれる場合があり、好ましくない。
【００１８】
本発明の水性ボールペンに用いる水性インクには、上記アセチレンアルコール類から選ばれる少なくとも１種の他、少なくとも着色剤、水溶性溶剤が含有される。
用いることができる着色剤としては、顔料及び／又は水溶性染料が挙げられる。顔料の種類については特に制限はなく、従来水性ボールペン用に慣用されている無機系及び有機系顔料の中から任意のものを使用することができる。
【００１９】
無機系顔料としては、例えば、カーボンブラックや、金属粉等が挙げられる。
また、有機系顔料としては、例えば、アゾレーキ、不溶性アゾ顔料、キレートアゾ顔料、フタロシアニン顔料、ペリレン及びペリノン顔料、アントラキノン顔料、キナクリドン顔料、染料レーキ、ニトロ顔料、ニトロソ顔料などが挙げられる。具体的には、フタロシアニンブルー（Ｃ．Ｉ．７４１６０）、フタロシアニングリーン（Ｃ．Ｉ．７４２６０）、ハンザイエロー３Ｇ（Ｃ．Ｉ．１１６７０）、ジスアゾイエローＧＲ（Ｃ．Ｉ．２１１００）、パーマネントレッド４Ｒ（Ｃ．Ｉ．１２３３５）、ブリリアントカーミン６Ｂ（Ｃ．Ｉ．１５８５０）、キナクリドンレッド（Ｃ．Ｉ．４６５００）などが使用できる。
また、スチレンやアクリル樹脂の粒子から構成されているプラスチックピグメントも使用できる。さらに、粒子内部に空隙のある中空樹脂粒子は白色顔料として、または、発色性、分散性に優れる後述する塩基性染料で染色した樹脂粒子（擬似顔料）等も使用できる。
【００２０】
水溶性染料としては、直接染料、酸性染料、食用染料、塩基性染料のいずれも用いることができる。
直接染料としては、例えば、Ｃ．Ｉ．ダイレクトブラック１７、同１９、同２２、同３２、同３８、同５１、同７１、Ｃ．Ｉ．ダイレクトエロー４、同２６、同４４、同５０、Ｃ．Ｉ．ダイレクトレッド１、同４、同２３、同３１、同３７、同３９、同７５、同８０、同８１、同８３、同２２５、同２２６、同２２７、Ｃ．Ｉ．ダイレクトブルー１、同１５、同７１、同８６、同１０６、同１１９などが挙げられる。
酸性染料としては、例えば、Ｃ．Ｉ．アシッドブラック１、同２、同２４、同２６、同３１、同５２、同１０７、同１０９、同１１０、同１１９、同１５４、Ｃ．Ｉ．アシッドエロー７、同１７、同１９、同２３、同２５、同２９、同３８、同４２、同４９、同６１、同７２、同７８、同１１０、同１２７、同１３５、同１４１、同１４２、Ｃ．Ｉ．アシッドレッド８、同９、同１４、同１８、同２６、同２７、同３５、同３７、同５１、同５２、同５７、同８２、同８７、同９２、同９４、同１１５、同１２９、同１３１、同１８６、同２４９、同２５４、同２６５、同２７６、Ｃ．Ｉ．アシッドバイオレット１８、同１７、Ｃ．Ｉ．アシッドブルー１、同７、同９、同２２、同２３、同２５、同４０、同４１、同４３、同６２、同７８、同８３、同９０、同９３、同１０３、同１１２、同１１３、同１５８、Ｃ．Ｉ．アシッドグリーン３、同９、同１６、同２５、同２７などが挙げられる。
食用染料としては、その大部分が直接染料又は酸性染料に含まれるが、含まれないものの一例としては、Ｃ．Ｉ．フードエロー３が挙げられる。
塩基性染料としては、例えば、Ｃ．Ｉ．ベーシックエロー１、同２、同２１、Ｃ．Ｉ．ベーシックオレンジ２、同１４、同３２、Ｃ．Ｉ．ベーシックレッド１、同２、同９、同１４、Ｃ．Ｉ．ベーシックブラウン１２、ベーシックブラック２、同８などが挙げられる。
また、塩基性染料で染色した樹脂粒子としては、アクリロニトリル系共重合体の樹脂粒子を塩基性蛍光染料で染色した蛍光顔料などが挙げられる。具体的な商品名として、シンロイヒカラーＳＦシリーズ（シンロイヒ株式会社）、ＮＫＷ及びＮＫＰシリーズ（日本蛍光化学株式会社）などが挙げられる。
【００２１】
これらの着色剤は、それぞれ単独で用いてもよいし、２種類以上を組み合わせてもよく、水性インク全量中の含有量は、通常、０．５〜３０質量％、好ましくは、１〜１５質量％の範囲である。
この着色剤の含有量が、０．５質量％未満では、着色が弱くなったり、筆跡の色相がわからなくなってしまうことがあり、一方、３０質量％を超えて長期保存した場合、顔料が凝集してしまったり、染料が析出したりして、ペン先に詰まり、筆記不良を生じることがあるので好ましくない。
【００２２】
用いることができる水溶性溶剤としては、例えば、エチレングリコール、ジエチレングリコール、トリエチレングリコール、プロピレングリコール、ポリエチレングリコール、３−ブチレングリコール、チオジエチレングリコール、グリセリン等のグリコール類や、エチレングリコールモノメチルエーテル、ジエチレングリコールモノメチルエーテル、単独或いは混合して使用することができる。この水溶性溶剤の含有量は、水性インク全量中、５〜４０質量％とすることが望ましい。
【００２３】
本発明の水性ボールペンに用いる水性インクには、上記着色剤、水溶性溶剤の他、残部として溶媒である水（水道水、精製水、蒸留水、イオン交換水、純水等）の他、本発明の効果を損なわない範囲で、増粘剤、分散剤、潤滑剤、ｐＨ調整剤、防錆剤、防腐剤もしくは防菌剤などを適宜含有することができる。
【００２４】
用いることができる増粘剤としては、例えば、合成高分子、セルロースおよび多糖類からなる群から選ばれた少なくとも一種が望ましい。具体的には、アラビアガム、トラガカントガム、グアーガム、ローカストビーンガム、アルギン酸、カラギーナン、ゼラチン、キサンタンガム、ウェランガム、サクシノグリカン、ダイユータンガム、デキストラン、メチルセルロース、エチルセルロース、ヒドロキシエチルセルロース、カルボキシメチルセルロース、デンプングリコール酸及びその塩、アルギン酸プロピレングリコールエステル、ポリビニルアルコール、ポリビニルピロリドン、ポリビニルメチルエーテル、ポリアクリル酸及びその塩、カルボキシビニルポリマー、ポリエチレシオキサイド、酢酸ビニルとポリビニルピロリドンの共重合体、架橋型アクリル酸重合体及びその塩、非架橋型アクリル酸重合体及びその塩、スチレンアクリル酸共重合体及びその塩などが挙げられる。
【００２５】
着色剤として顔料を用いた場合には、分散剤を使用することが好ましい。この分散剤は、顔料表面に吸着して、水との親和性を向上させ、水中に顔料を安定に分散させる作用をするものであり、ノニオン、アニオン界面活性剤や水溶性樹脂が用いられる。好ましくは水溶性高分子が用いられる。
潤滑剤としては、顔料の表面処理剤にも用いられる多価アルコールの脂肪酸エステル、糖の高級脂肪酸エステル、ポリオキシアルキレン高級脂肪酸エステル、アルキル燐酸エステルなどのノニオン系や、高級脂肪酸アミドのアルキルスルホン酸塩、アルキルアリルスルホン酸塩などのアニオン系、ポリアルキレングリコールの誘導体やフッ素系界面活性剤、ポリエーテル変性シリコーンなどが挙げられる。
【００２６】
ｐＨ調整剤としては、アンモニア、尿素、モノエタノーアミン、ジエタノールアミン、トリエタノールアミンや、トリポリリン酸ナトリウム、炭酸ナトリウムなとの炭酸やリン酸のアルカリ金属塩、水酸化ナトリウムなどのアルカリ金属の水和物などが挙げられる。
また、防錆剤としては、ベンゾトリアゾール、トリルトリアゾール、ジシクロへキシルアンモニウムナイトライト、サポニン類など、防腐剤もしくは防菌剤としては、フェノール、ナトリウムオマジン、安息香酸ナトリウム、ベンズイミダゾール系化合物などが挙げられる。
【００２７】
水性ボールペンにおいて、長期未筆記状態後における筆記感の劣化の原因の一つとして、水性インク中の塩素イオンの影響が挙げられる。具体的には、塩素イオン濃度が１ｇ／Ｌ以上であると長期未筆記状態後における筆記感の劣化が進行しやすい傾向が認められる。
また、上記以外にも長期未筆記状態後における筆記感の劣化を促進する要因として、塩基性染料で染色した樹脂粒子の使用が挙げられる。このような樹脂粒子を使用すると、水性インク中の塩素イオン濃度が高くなるが、その濃度以上に筆記感の劣化が促進される傾向が認められる。
本発明では、後述する実施例等でサポートされるように、水性インク中の塩素イオン濃度が１ｇ／Ｌ以上となっても、長期未筆記状態後における筆記感の劣化がなく、目的の効果を奏するものとなる。
【００２８】
本発明の水性ボールペンは、上記着色剤、水溶性溶剤、アセチレンアルコール類から選ばれる少なくとも１種、その他の各成分をホモミキサー、もしくはディスパー等の攪拌機により攪拌混合することにより、更に必要に応じて、ろ過や遠心分離によってインク組成物中の粗大粒子を除去すること等によって水性インクを調製し、該水性インクを直径が０．４ｍｍ以下のボールを備えた水性ボールペン体に充填することにより作製することができる。
用いる水性ボールペン体として、直径が０．４ｍｍ以下のボールを備えたものであれば、特に限定されず、特に、上記水性インクをポリプロピレンチューブのインク収容管に充填し、先端のステンレスチップ（ボールは超鋼合金）を有するリフィールの水性ボールペンに仕上げたものが望ましい。
【００２９】
このように構成される本発明の水性ボールペンでは、ボール径が０．４ｍｍ以下の細字であっても、充填される水性インクに、アセチレンアルコール類から選ばれる少なくとも１種を０．０５〜２質量％含有することにより、初めて、長期未筆記状態後における書き出しの筆記感がガリつく状態がない水性ボールペンが得られることとなる。
【実施例】
【００３０】
次に、実施例及び比較例により本発明を更に詳細に説明するが、本発明は下記実施例等に限定されるものではない。
【００３１】
〔実施例１〜１２及び比較例１〜５〕
下記成分１〜１０を下記表１及び表２に示すように適宜組み合わせた配合量（全量１００質量％）にて攪拌機を用いて均一溶液として実施例１〜１２、比較例１〜５に相当する水性インクを調製した。
得られた各水性インク中の塩素イオン濃度を下記方法で測定した。
１−ａ：カーボンブラック  ＭＣＦ８８（三菱化学社製）
１−ｂ：塩基性蛍光染料で染色した蛍光桃色顔料  ＳＦ−５０１７（シンロイヒ社製）
１−ｃ：赤色顔料  ＦＵＪＩ  ＲＥＤ  ２５１０（冨士色素社製）
２−ａ：３，５−ジメチル−１−ヘキシン−３−オール
２−ｂ：３−メチル−１−ブチン−３−オール
２−ｃ：３−メチル−１−ペンチン−３−オール
２−ｄ：３−ヘキシン−１−オール
２−ｅ：４−ペンチン−２−オール
３：プロピレングリコール
４：ＫＥＬＡＮ  Ｓ（三晶社製）
５：ＲＤ−５１０Ｙ（東邦化学工業社製）
６：ベンゾトリアゾール
７：バイオデン４２１（大和化学工業社製）
８：トリエタノールアミン
９：ＪＯＮＣＲＹＬ  ６１Ｊ（ＢＡＳＦ  ＪＡＰＡＮ）
【００３２】
（インク中の塩素イオン濃度の測定法）
東亜ＤＫＫ株式会社製のマルチ水質計（ＭＭ６０Ｒ）に塩化物イオン電極（ＣＬ−２０２１）を取り付けて、２５℃にてインク中の塩素イオン濃度を測定した。
【００３３】
（水性ボールペンの作製）
三菱鉛筆製のＵＭ−１５１に搭載するチューブ（内径３．４ｍｍのＰＰ製チューブ）及びＰＢＴ製継手部材に下記表１及び２に示す各ボール径（超鋼合金：０．１８ｍｍ、０．２８ｍｍ、０．３８ｍｍ）のボールペンチップを搭載し、上記で調製した水性インク及びインク追従体を充填し、遠心処理（５００Ｇ、５分）にて脱泡した後にボールペンに組立後、下記に示す筆記感の評価試験を行った。これらの結果を下記表１及び２に示す。
【００３４】
筆記試験は下記のとおりであり、全て５本のボールペンについて評価試験を行った。
（初期筆記感の評価方法）
上記水性ボールペンの作製した後使用するまで２５℃で１ヶ月保管した後、筆記感を丸書きにより下記評価基準にて官能評価した。
評価基準：
◎：ガリつき感もなく、非常に滑らか。
○：僅かにガリつき感があるが、滑らか。
△：ガリつき感あり。
×：ガリつき感が強い。
【００３５】
【表１】
0005812689.tif 000005
【００３６】
【表２】
0005812689.tif 000006
【００３７】
上記表１と表２の評価結果から明らかなように、本発明をサポートする実施例１〜１２の水性ボールペンでは、長期未筆記状態後における書き出しの筆記感に優れているがわかる。一方、本発明の条件を満足しない比較例１〜５の水性ボールペンでは、本発明の課題を解決することはできないことが明らかとなった。
【産業上の利用可能性】
【００３８】
ボール径０．４ｍｍ以下の極細字の水性ボールペンに好適に利用できる。